【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
電力レギュレータであって、
第１のドライバ出力部を備えた第１のドライバと、
前記第１のドライバ出力部と通信可能な第２のドライバ出力部を備えた第２のドライバとを備え、
前記第１のドライバが、前記第１のドライバ出力部と通信可能な出力端子を有する第１のスイッチを備え、
前記第１のドライバが、前記第１のドライバ出力部と通信可能な出力端子を備える第２のスイッチを更に備え、
前記第１のスイッチの電力散逸が前記第２のスイッチの電力散逸よりも少ない
電力レギュレータ。
【請求項２】
前記第２のスイッチのオン状態のブレークダウン電圧が、前記第１のスイッチのオン状態のブレークダウン電圧よりも大きい、請求項１に記載のレギュレータ。
【請求項３】
前記第１のスイッチが第１のトランジスタを備え、前記第２のスイッチが第２のトランジスタを備える、請求項１に記載のレギュレータ。
【請求項４】
前記第１のトランジスタのオン状態のブレークダウン電圧が、前記第２のトランジスタのオン状態のブレークダウン電圧よりも小さい、請求項３に記載のレギュレータ。
【請求項５】
前記第１のトランジスタと前記第２のトランジスタとが同じタイプのトランジスタである、請求項３に記載のレギュレータ。
【請求項６】
前記同じタイプがＮＭＯＳである、請求項５に記載のレギュレータ。
【請求項７】
前記第１のトランジスタと前記第２のトランジスタとが異なるタイプのトランジスタである、請求項３に記載のレギュレータ。
【請求項８】
前記第１のトランジスタがＮＭＯＳトランジスタを備え、前記第１のトランジスタのゲートと通信可能なブートストラップ・プリドライバをさらに備える、請求項３に記載のレギュレータ。
【請求項９】
前記第１のドライバをターンオフする回路をさらに備え、
前記回路が、第１のターンオフ開始時刻と、前記第１のトランジスタのゲートへの印加電圧の第１のスルーレートとを制御することにより、さらに、第２のターンオフ開始時刻と、前記第２のトランジスタのゲートへの印加電圧の第２のスルーレートとを制御することにより、前記第１のドライバをターンオフするための回路である、請求項３に記載のレギュレータ。
【請求項１０】
前記回路が前記第１のターンオフ開始時刻を制御して、前記第２のターンオフ開始時刻より前になるようにする、請求項９に記載のレギュレータ。
【請求項１１】
前記回路が前記第１のスルーレートを制御して、前記第２のスルーレートよりも大きくなるようにする、請求項１０に記載のレギュレータ。
【請求項１２】
前記回路が、前記第１のターンオフ開始時刻と、前記第２のターンオフ開始時刻と、前記第１のスルーレートと、前記第２のスルーレートとをさらに制御し、それによって、前記第２のターンオフ開始時刻より前に前記第１のトランジスタをターンオフするように為す、請求項１１に記載のレギュレータ。
【請求項１３】
直流／直流（ＤＣ／ＤＣ）コンバータ内に設けられる、請求項１に記載のレギュレータ。
【請求項１４】
前記第１のドライバ出力部および第２のドライバ出力部と通信可能な入力部を有するフィルタをさらに備える、請求項１に記載のレギュレータ。
【請求項１５】
前記フィルタが、負荷と通信可能な出力部をさらに備える、請求項１４に記載のレギュレータ。
【請求項１６】
前記第１のドライバが、１以上の追加スイッチをさらに備え、個々のスイッチが前記第１のドライバ出力部と通信可能な出力端子を有する、請求項１に記載のレギュレータ。
【請求項１７】
前記第２のドライバが、１以上の第２のドライバスイッチを備え、個々のドライバスイッチが前記第２のドライバ出力部と通信可能な出力端子を有する、請求項１に記載のレギュレータ。
【請求項１８】
前記１以上の第２のドライバスイッチのうちの少なくとも１つのドライバスイッチがＮＭＯＳトランジスタを有する、請求項１７に記載のレギュレータ。
【請求項１９】
前記１以上の第２のドライバスイッチが第１のトランジスタと第２のトランジスタとを有し、前記第１のトランジスタが、前記第２のトランジスタのＲＤＳ−ｏｎ値よりも低いオン状態のドレインソース抵抗（ＲＤＳ−ｏｎ）値を有する、請求項１７に記載のレギュレータ。
【請求項２０】
前記１以上の第２のドライバスイッチが、第１のトランジスタと第２のトランジスタとを有し、前記第１のトランジスタが、前記第２のトランジスタのオン状態のブレークダウン電圧よりも低いオン状態のブレークダウン電圧を有する、請求項１７に記載のレギュレータ。
【請求項２１】
電力レギュレータのドライバをターンオフする方法であって、
（Ａ）ドライバの第１のスイッチであって、前記ドライバの第２のスイッチよりも低い電力散逸をオン状態で有する第１のスイッチをターンオフするステップと、
（Ｂ）前記ステップ（Ａ）の後、前記ドライバの第２のスイッチをターンオフするステップと
を備える方法。
【請求項２２】
前記第１のスイッチが第１のトランジスタを備え、
前記ドライバの前記第１のスイッチをターンオフするステップが、前記第１のトランジスタがオンになるオン電圧から、前記第１のトランジスタがオフになるオフ電圧へ、前記第１のトランジスタのゲートへの印加電圧を変更するステップを備え、
前記第１のトランジスタのゲートへの印加電圧を変更するステップが、第１のトランジスタのターンオフ時間に等しい時間にわたって実行される、請求項２１に記載の方法。
【請求項２３】
前記第２のスイッチが第２のトランジスタを備え、
前記ドライバの前記第２のスイッチをターンオフするステップが、前記第２のトランジスタがオンになるオン電圧から、前記第２のトランジスタがオフになるオフ電圧へ、前記第２のトランジスタのゲートへの印加電圧を変更するステップを備え、
前記第２のトランジスタのゲートへの印加電圧を変更するステップが、第２のトランジスタのターンオフ時間に等しい時間にわたって実行される、請求項２２に記載の方法。
【請求項２４】
前記第２のトランジスタのターンオフ時間が前記第１のトランジスタのターンオフ時間よりも長い、請求項２３に記載の方法。
【請求項２５】
前記第２のトランジスタのターンオフ時間が前記第１のトランジスタのターンオフ時間の少なくとも２倍の長さである、請求項２４に記載の方法。
【請求項２６】
（Ｃ）前記ステップ（Ｂ）の後、異なるドライバをターンオンするステップをさらに備える、請求項２１に記載の方法。
【請求項２７】
前記異なるドライバをターンオンするステップが、前記異なるドライバの中に備えられている１以上のスイッチをターンオンするステップを有する、請求項２６に記載の方法。
【請求項２８】
前記異なるドライバの中に備えられている前記１以上のスイッチがトランジスタとして実現され、さらに、前記異なるドライバの中に備えられている前記１以上のスイッチをターンオンするステップが、前記１以上のスイッチの個々のスイッチ々のゲートにターンオン電圧を印加するステップを有する、請求項２７に記載の方法。
【請求項２９】
（Ｄ）前記ステップ（Ｃ）の後、前記異なるドライバをターンオフするステップをさらに備える、請求項２６に記載の方法。
【請求項３０】
前記異なるドライバが第１のトランジスタと第２のトランジスタとを備え、
前記ステップ（Ｄ）が、前記第２のトランジスタをターンオフする前に前記第１のトランジスタをターンオフするステップを備える、
請求項２９に記載の方法。
【請求項３１】
前記第１のトランジスタが、前記第２のトランジスタよりも低い散逸をオン状態で有する、請求項３０に記載の方法。
【請求項３２】
前記第１のトランジスタが、前記第２のトランジスタよりも低いブレークダウン電圧を前記オン状態で有する、請求項３１に記載の方法。